(57)【特許請求の範囲】
【請求項１】
所定のアスペクト比を有する表示手段と、
前記所定のアスペクト比と異なるアスペクト比の有効画素領域を有する撮像手段と、
この撮像手段によって撮像されている画像を前記表示手段に表示させる制御手段と、
この制御手段によって前記表示手段に撮像されている画像が表示されているときに、前記表示手段の前記撮像されている画像が表示されない残余の領域に、前記撮像手段による撮像処理における設定内容を表示するよう制御する第１の表示制御手段と、
前記撮像手段によって撮像されている画像を静止画として記憶させる第１のモードと、動画として記憶させる第２のモードとを切り替える第１の切替手段とを備え、
前記第１の表示制御手段は、前記第１の切替手段により前記第１のモードに切り替えられているときは、前記撮像手段による撮像処理における静止画撮影の際に用いられる設定内容を表示させる一方、前記第２のモードに切り替えられているときは、動画撮影の際に用いられる設定内容を表示するよう制御することを特徴とする撮像装置。
【請求項２】
前記撮像手段が有するアスペクト比の有効画素領域で撮像されている画像を前記記憶手段に記憶させる第３のモードと、前記所定のアスペクト比で撮像されている画像を前記記憶手段に記憶させる第４のモードとを切り替える第２の切替手段を更に備えることを特徴とする請求項１に記載の撮像装置。
【発明の詳細な説明】
【技術分野】
【０００１】
本発明は、撮像装置に関する。
【背景技術】
【０００２】
昨今の携帯機器は、液晶表示部の解像度の向上に伴い、より高精細な画像や、より多様な情報を表示させることが可能になっている。
【０００３】
一方で、デジタル地上波放送の普及や、マルチメディアコンテンツの無線ＬＡＮ等のモバイル向けインフラによる配信、及びＤＶＤの普及により、例えばノートＰＣでは表示画面にワイド画面（１６：９）で映像を表示させることができるようになっている。さらに、ビデオカメラにおいても、表示画面にワイド画面で映像を表示させるものが提案されるに至っている（例えば、特許文献１、特許文献２参照。）。
【特許文献１】特開平８−１５４２２１号公報
【特許文献２】特許第３２９３３７４号公報
【発明の開示】
【発明が解決しようとする課題】
【０００４】
しかしながら、一般にデジタルカメラ等の静止画を撮像する携帯機器においては、撮像する静止画の画像サイズが４：３のアスペクト比からなることから、必然的に表示画面も同様のアスペクト比かならなるものが搭載される。したがって、通常の４：３のアスペクト比の映像若しくは画像を表示させることは可能であるが、１６：９の映像若しくは画像を表示させようとすると、縮小表示させざるをえない。
【０００５】
本発明はこのような問題点に鑑みてなされたものであり、表示部のアスペクト比と撮像部のアスペクト比が異なる場合であっても、表示部のアスペクト比に適合した表示内容で撮像されている画像を表示することが可能な撮像装置を提供することを目的とする。
【課題を解決するための手段】
【０００６】
前記課題を解決するため請求項１記載の発明に係る撮像装置にあっては、所定のアスペクト比を有する表示手段と、前記所定のアスペクト比と異なるアスペクト比の有効画素領域を有する撮像手段と、この撮像手段によって撮像されている画像を前記表示手段に表示させる制御手段と、この制御手段によって前記表示手段に撮像されている画像が表示されているときに、前記表示手段の前記撮像されている画像が表示されない残余の領域に、前記撮像手段による撮像処理における設定内容を表示するよう制御する第１の表示制御手段と、前記撮像手段によって撮像されている画像を静止画として記憶させる第１のモードと、動画として記憶させる第２のモードとを切り替える第１の切替手段とを備え、前記第１の表示制御手段は、前記第１の切替手段により前記第１のモードに切り替えられているときは、前記撮像手段による撮像処理における静止画撮影の際に用いられる設定内容を表示させる一方、前記第２のモードに切り替えられているときは、動画撮影の際に用いられる設定内容を表示するよう制御することを特徴とする。
【０００９】
また、請求項２記載の発明は、上記請求項１に記載の発明において、前記撮像手段が有するアスペクト比の有効画素領域で撮像されている画像を前記記憶手段に記憶させる第３のモードと、前記所定のアスペクト比で撮像されている画像を前記記憶手段に記憶させる第４のモードとを切り替える第２の切替手段を更に備えることを特徴とする。
【発明の効果】
【００３４】
本発明によれば、表示部のアスペクト比と撮像部のアスペクト比が異なる場合であっても、表示部のアスペクト比に適合した表示内容で撮像されている画像と撮影モードに対応した設定内容とを表示することが可能になる。
【発明を実施するための最良の形態】
【００４２】
以下、本発明の一実施の形態を図に従って説明する。図１は、本実施の形態に係る携帯電話１の蓋を開いた状態の正面図に相当する外観図である。この携帯電話１は、ＣＤＭＡ  ２００００  １ｘＥＶ−ＤＯ（商標）に対応する機能を備えるものであり、ＣＤＭＡ  ２００００  １ｘＥＶ−ＤＯ（商標）とは、ＣＤＭＡ方式の無線通信規格ＩＭＴ−２０００に含まれているＣＤＭＡ  ２００００  １ｘ（商標）の派生サービスであり、データ通信用に特化されたものである。
【００４３】
このＣＤＭＡ  ２００００  １ｘＥＶ−ＤＯは、ＨＤＲ（Ｈｉｇｈ  Ｄａｔａ  Ｒａｔｅ）の一種であり、音声通信に必須とされるリアルタイム応答性や高速移動時の通信の保証（ハンドオーバー、Ｒａｋｅ受信）を廃止することにより、１．２５ＭＨｚの帯域幅をすべてデータ通信向けに割り振り、下り伝送速度を最大２．４Ｍｂｐｓ、上り伝送速度を最大１５３Ｋｂｐｓにするサービスであり、この下り伝送速度を利用して、通信事業者は映像コンテンツなどの大容量のデータ配信サービスを予定している。
【００４４】
このサービスに対応させるため、本実施の形態の携帯電話１は、通常の音声通信を行うための無線通信モジュールのほかに、無線高速データ通信用の無線通信モジュールを備える。
【００４５】
図示のように、蓋部２は本体部３に対し第１ヒンジ部１００を回転軸として開閉可能（垂直回転（図４の矢印α）可能）に配置されているほか、第２ヒンジ部１２を軸（内蔵）に回転軸として回転可能（水平回転（図１の矢印β）可能）になっている。また、後述するが、第２サイドスイッチ４、メインスピーカ５、表示部６、サブスピーカ７を備え、データ通信用の内蔵アンテナ１６を内蔵している。第２サイドスイッチは、ロータリースイッチであって上下回動移動検出によりメニュー表示等におけるフォーカス移動が実行され、中央押しで選択メニューの決定がなされる。表示部６は、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。
【００４６】
本体部３は、キー入力部８と、第１サイドスイッチ９、マイク１０を備える。キー入力部８は、メニュー表示時におけるフォーカス移動のための十字キー８１、決定のための決定キー８２、アドレス帳データ閲覧のためのアドレス帳キー８３、ネットワーク接続を指示するためのネットワーク接続キー８４、ムービー再生モードを起動させるためのムービー再生キー８５、メールモード（受信、作成、編集、送信）を起動させるためのメールキー８６、オフフックキー８７、クリアキー８８（キャンセル検出）、オンフックキー８９（オールクリア：着信待ち状態にジャンプ指示）、電話番号や文字記号を入力するためのテンキー８１０等からなる。また、第１サイドスイッチ９は、待受け状態ではマナーキーとして機能し、カメラモードではシャッターキーとして機能する。
【００４７】
なお、内蔵アンテナ１６とメインアンテナ１１は、蓋部２を回動させた状態であっても、閉じた状態であっても、スペースダイバーシチ受信を行うのに有効な位置関係にある。
【００４８】
図２（ａ）は蓋部２を表示部６とキー入力部８と対面させる形で畳んだ状態を示す図であり、メインアンテナ１１は伸縮可能である。また、同図（ｂ）において、１３は報知用ＬＥＤ、１４は報知用スピーカ、１５は矢印の方向にスライド可能なレンズバリアである。レンズバリア１５を矢印の方向にスライドさせると、図３に示すように、撮像レンズ１７が露出し、カメラモードに切り替わる。
【００４９】
図４は、側面から見た状態を示す図であり、第１ヒンジ部１００では所定角度α（例えば１２０°）以上開いたことを検出するためのセンサー（後述する第１角度検出部２８）を内蔵する。一方、第２ヒンジ部１２は所定角度β（例えば１２０°）以上回転したことを検出するためのセンサー（後述する第２角度検出部２９）を内蔵する。
【００５０】
図５は、携帯電話１の回路構成を示すブロック図である。受信信号処理部１８は、データ通信モードの開始指示をスイッチ回路２０１より受けると、外部の無線基地局とのネゴシエーション（端末認証、回線接続）を開始し、通信帯域幅を一時的に占有する処理を行う。そして、内蔵アンテナ１６により受信された無線信号より自機宛に符号変調された信号を抽出して、スイッチ回路２０１を介して通信データ処理部２０２に出力する。
【００５１】
通信信号処理部１９は、待受け状態においても、また、データ通信モードにおいても、常に電源供給されており、通信データ処理部からのデジタル変調信号（送信音声データ、メールデータ、ネットワーク接続情報を含むパケットデータ）を、符号変調してメインアンテナ１１より出力する。また一方で、無線基地局より送信され、メインアンテナ１１により受信された無線信号より自機宛に符号変調された信号を抽出して、スイッチ回路２０１を介して通信データ処理部２０２に出力する。
【００５２】
第１制御部２０は、無線基地局、及びその後段にあたる、通信サービス事業者、インターネット等のネットワークインフラを介して接続されるデータベース等の、情報資源との接続制御を中心とした処理を行う。なお、本実施の形態においては、携帯電話１は二つの制御部を備えており、通信処理全般については第１制御部２０、その他、撮影処理、画像処理、および、映像の再生処理に関しては後述の第２制御部２２で行う。
【００５３】
スイッチ回路２０１は、通信データ処理部２０２からの制御信号を受け、受信信号処理部１８、通信信号処理部１９への電源供給、処理動作開始終了の制御を行う。詳細には、通常電源オン状態、もしくは、受信ＯＮモード状態であれば、通信信号処理部１９のみに電源を供給して動作させ、一方で、ユーザーがネットワーク接続キー８４を操作したか、あるいは、予め設定されたスケジュールに従い、データ通信モードの開始が指示された場合は、受信信号処理部１８と通信信号処理部１９とを動作させる。
【００５４】
通信データ処理部２０２は、音声処理部２０５より出力されたＣＥＬＰ系デジタル音声データをＰＳＫ系方式に対応する信号に変調、及び拡散符号に変調するとともに、受信信号処理部１８、通信信号処理部１９にて受信される符号変調された信号をＰＳＫ系方式、及び／又は、ＱＡＭ系方式のデジタル信号に復号する処理を行う。また２０２０は、ＩＤメモリであり、当該携帯電話１に予め割り当てられ、無線基地局、通信サービス事業者、及びインターネット接続のための固有情報を記憶する。この情報とは、例えば、サービス事業者毎に割り当てられたサービスコードであったり、当該携帯電話１を呼び出すための電話番号であったり、当該携帯電話１のメーカーコードであったり、インターネット接続のためのＩＰアドレス、メールアドレスが含まれる。
【００５５】
システムＲＯＭ２０３は、通信制御のための制御プログラムを格納する。本実施の形態の特徴としては、通常の通信ネゴシエーションプログラムの他に受信信号処理部１８と通信信号処理部１９との動作切替制御プログラムを記憶する。これにより、データ通信モードの開始が指示された場合は、メインアンテナ１１と内蔵アンテナ１６によるスペースダイバーシチ受信を行わせて、一時的に通信帯域幅を占有し、受信信号処理部１８、通信信号処理部１９の双方より出力される符号変調された信号をほぼ同時にＱＡＭ系方式のデジタル信号（本実施の形態においては、ＭＰＥＧ−２、−４形式で圧縮された映像コンテンツ）に復号、合成して、インターフェイス処理部２０４を介してバス２００に出力するプログラムを記憶する。
【００５６】
音声処理部２０５は、ＣＥＬＰ系の音声変調／復調システムと、ＭＰＥＧオーディオ系の音声復調システムとをあわせ持っている。
【００５７】
スイッチ回路２０６は、後述の処理に従い、通話状態においては、音声処理部２０５から出力されるアナログ音声をメインスピーカ５から出力させるともに、後述のムービー再生モードにおいては、オーディオアンプ２０７を介してムービーファイルに格納されるオーディオ信号をメインスピーカ５から出力させる処理を行う。
【００５８】
スイッチ２１は、第２制御部２２からの制御により、ムービーファイルに格納されるオーディオデータがステレオ対応である場合、メインスピーカ５、サブスピーカ７の両方にオーディオ信号を出力する。
【００５９】
第２制御部２２は、ムービー再生モードにおけるデータ通信モードによりダウンロードしたムービーファイルや、カメラモードにおける静止画／動画の再生表示処理、及び、カメラモードにおける撮影処理全般の制御を行う。なお、本実施の形態においては、携帯電話機能による着信割り込み時において上述の第１制御部２０との並行処理が可能だが、これらの処理に伴うバス２００へのアドレス／データの割り込み処理については、インターフェイス処理部２０４が行うものとする。
【００６０】
プログラムＲＯＭ２３は、後述のムービー再生モード、カメラモード等の各処理プログラムを格納するとともに、特に本発明に関わる、後述の表示バッファ６２への書き込み開始／終了アドレスの制御を行う表示ドライバ６１の制御プログラムを記憶し、ユーザー操作により適宜第２制御部２２にロードされる
【００６１】
ＲＡＭ２４は、データ通信処理や、音声通信において必要とされる各種データを記憶する。詳細には、図６に記載されるように、電話番号、メールアドレス、住所、固有のイメージ（画像、若しくはイラスト）を対応付けて記憶するアドレス帳記憶領域２４１、メール通信にて送受信されるメールデータを記憶するメールデータ記憶領域２４２、メールに添付された画像（静止画、動画）、及びカメラモードにて撮影された画像（静止画／動画）を圧縮処理された状態で記憶する画像記憶領域２４３、ネットワーク接続により受信した圧縮処理されたマルチメディアファイル（イラスト、静止画、動画（１６：９のアスペクト含）、メロディ、オーディオ）を記憶するダウンロードデータ記憶領域２４４、及び、各種ファイルの圧縮処理、伸張処理の際に一時的に使用するためのワークメモリ２４５の各領域を備える。
【００６２】
圧縮伸張処理部２５は、ＭＰＥＧ−２、−４に対応し、カメラモードにて撮影された静止画／動画を圧縮処理するとともに、ムービー再生モードにおけるデータ通信モードによりダウンロードしたムービーファイルや、カメラモードにおける静止画／動画を伸張処理する。
【００６３】
報知ドライバ２６は、着信処理を検出した際、これを報知せしめるために報知用ＬＥＤ１３、報知用スピーカ１４を動作させる。スイッチ処理部２７は、キー入力部８、第１サイドスイッチ９、第２サイドスイッチ４からの操作検出に伴う第１制御部２０、第２制御部２２への制御信号を出力する。また一方で、後述の第１角度検出部２８、第２角度検出部２９、レンズバリア検出部３０からの検出信号に従い、キー入力部８、第１サイドスイッチ９、第２サイドスイッチ４の操作検出のオン／オフ、機能変更のための信号を受け、これらのキー、及び、スイッチの機能を制御する。
【００６４】
第１角度検出部２８は、図４に図示する蓋部２と本体部３との開閉角度を検出し、その角度を第２制御部２２に出力する。第２角度検出部２９は、図１に示す蓋部２の本体部３との相対回転角度を検出し、その角度を第２制御部２２に出力する。レンズバリア検出部３０は、図２（ｂ）、図３に図示されるレンズバリア１５の開閉状態を検出し、第２制御部２２に出力する。
【００６５】
なお、１７はカメラレンズであるが、その後段には、ＣＣＤ、若しくはＣＭＯＳ等のイメージセンサーと光学ズーム用のステップモータからなる撮像デバイス１７１と、この撮像デバイスで撮り込まれたアナログ信号をデジタル信号に変換し、イメージデータを生成するためのＤＳＰ１７２とが備えられている。また、本実施の形態におけるイメージセンサーの有効画素領域は４：３のアスペクト比に固定されている。
【００６６】
以上の構成に係る本実施の形態において、携帯電話１が着信待受け状態にあるとき、第１制御部２０は、システムＲＯＭ２０３に格納されているプログラムに基づき、図７のフローチャートにおけるステップＳ１〜Ｓ８の処理を実行する。すなわち、先ずダウンロード指示が検出されたか否かを判断する（ステップＳ１）。ここで、ダウンロード指示とは、ユーザーがネットワーク接続キー８４を操作して手動操作によりダウンロード指示を行った場合のみならず、予めスケジュールデータにダウンロード開始時刻とアドレス（ＵＲＬ）を登録しておくことで、例えば深夜にデータ通信モードの開始が指示された場合を意味する。
【００６７】
ダウンロード指示が検出が検出された場合には、受信信号処理部１８を動作させる（ステップＳ２）。そして、受信信号処理部１８を介してネットワークに接続し、これにより受信した圧縮処理されたマルチメディアファイル（イラスト、静止画、動画（１６：９のアスペクト含）、メロディ、オーディオ）をダウンロードデータ記憶領域２４４に格納する（ステップＳ３）。さらに、このマルチメディアファイルのダウンロードの完了に伴って、受信終了処理を実行し、受信信号処理部１８を停止させる（ステップＳ４）。
【００６８】
さらに、前述のステップＳ３でダウンロードデータ記憶領域２４４に格納したマルチメディアファイルが映像コンテンツであるか否かを判断する（ステップＳ５）。映像コンテンツである場合には、当該映像コンテンツがストリーミング再生用コンテンツ（ダウンロード後に一度再生させ、その後は消去してしまう、擬似的なストリーミング再生サービス）であるか否かを判断する（ステップＳ６）。前記映像コンテンツが、ストリーミング再生用コンテンツである場合には、表示部６にストリーミング再生用コンテンツがダウンロードデータ記憶領域２４４に格納されている旨のアイコンを表示させて、再生指示操作待ちの状態に入る（ステップＳ７）。しかし、ステップＳ５での判断の結果映像コンテンツでなかった場合、及びステップＳ６での判断の結果ストリーミング再生用コンテンツではなく再生制限のないコンテンツであった場合には、表示部６にステップＳ７で表示させたアイコンとは異なる所定のアイコンを表示させる（ステップＳ８）。
【００６９】
一方、ステップＳ１での判断の結果、ダウンロード指示が検出されなかった場合には、第２制御部２２は、プログラムＲＯＭ２３に格納されているプログラムに基づき、ステップＳ９〜Ｓ２０で、蓋部２と本体部３との開閉状態、相対角度の状態検出に伴う切替処理を実行する。すなわち、第１角度検出部２８にて所定の角度以上が検出されたか否かを判断する（ステップＳ９）。そして、図４に示したように、蓋部２が開いて蓋部２が本体部３に対し所定の角度以上となった場合には、表示ドライバ６１を起動し（ステップＳ１０）、表示部６に待受画面を表示させる等の状態表示を行う（ステップＳ１１）。
【００７０】
さらに、第２角度検出部２９にて、所定の角度以上が検出されたか否かを判断する（ステップＳ１２）。この第２角度検出部２９は、前述のように蓋部２の本体部３との相対回転角度を検出するセンサーである。したがって、このステップＳ１２の判断及び前述したステップＳ９の判断が共にＹＥＳであれば、蓋部２は開かれた後水平回転され、これにより図１１に示すように、蓋部２が本体部３上に起立し、かつ蓋部２の表示部６がレンズバリア１５及び撮像レンズ１７が配置された本体部３の外面側を向いた状態にある。
【００７１】
そして、図１１に示した状態にある場合には、キー入力部８（十字キー８１、決定キー８２、アドレス帳キー８３、ネットワーク接続キー８４、ムービー再生キー８５、メールキー８６、オフフックキー８７、クリアキー８８、オンフックキー８９、テンキー８１０）に対する操作が無効となる状態にし、第２サイドスイッチ４に対する操作は有効となる状態に維持する（ステップＳ１３）。つまり、誤操作を防止するため、キー入力部８の操作は全てキャンセルされる状態となり、一方で第２サイドスイッチ４の操作が有効にとなる。
【００７２】
引き続き、レンズバリア検出部３０によりレンズバリア１５の開放が検出されたか否かを判断し（ステップＳ１４）、レンズバリア１５の開放が検出されない場合には、後述するステップＳ２１に進む。しかし、図１１に示したように、レンズバリア１５の開放され、これがレンズバリア検出部３０により検出された場合には、撮像デバイス１７１、ＤＳＰ１７２、圧縮伸張処理部２５からなるカメラモジュールを起動させる（ステップＳ１５）。
【００７３】
このように、表示部６及び撮像レンズ１７が共に同一面側にある状態においては、ユーザがユーザ自身を撮影する、所謂自分撮りの撮影形態が想定される。つまり、図１２に示すように、携帯電話１を横方向にして、両手ＬＨ、ＲＨで携帯電話１を持ち、自分撮りを行うために左手人差し指Ｌ１でシャッター操作（第１サイドスイッチ９の操作）を行い、右手人差し指Ｒ１で各種設定操作（第２サイドスイッチ４の操作）を行うことが想定される。よって、被写体像を広角で表示部６に表示させ（ステップＳ１６）、カメラモード処理を開始する（ステップＳ１７）。なお、前述のように、本実施の形態におけるイメージセンサーの有効画素領域は４：３のアスペクト比に固定されているので、ステップＳ１６において被写体像は４：３のアスペクト比で表示部９に表示される。
【００７４】
他方、ステップＳ１２での判断の結果、第２角度検出部２９にて、所定の角度以上が検出されていない場合には、図１に示したように、蓋部２が開かれたのみである。この場合表示部６は、本体部３の撮像レンズ１７がある面とは反対側を向いており、ユーザがユーザ自身以外を撮影する通常の撮影形態が想定される。よって、レンズバリア検出部３０によりレンズバリア１５の開放が検出されたか否かを判断し（ステップＳ１４）、レンズバリア１５の開放が検出されない場合には、後述するステップＳ２４に進む。しかし、レンズバリア１５の開放され、これがレンズバリア検出部３０により検出された場合には、撮像デバイス１７１、ＤＳＰ１７２、圧縮伸張処理部２５からなるカメラモジュールを起動させ（ステップＳ２０）、カメラモード処理を開始する（ステップＳ１７）。
【００７５】
一方、前記ステップＳ１４の判断がＮＯであって、レンズバリア１５の開放が検出されなかった場合には、図８のステップＳ２１〜Ｓ２３の処理で、ムービー再生モードへ移行する。すなわち、ステップＳ１４の判断がＮＯであった場合には、図８のステップＳ２１に進み、第１角度検出部２８にて所定の角度以下が検出されたか否かを判断する（ステップＳ２１）。このステップＳ２１の判断がＹＥＳとなる場合とは、図２（ａ）の状態において、蓋部２を開いて第１ヒンジ部１００を軸にして１２０°以上回動させ（ステップＳ９；ＹＥＳ）、第２ヒンジ部１２を軸にして蓋部２を１８０°回転させ（ステップＳ１２；ＹＥＳ）、再び、蓋部２を閉じた状態である（ステップＳ２１；ＹＥＳ）。また、レンズバリア１５が閉じている状態（ステップＳ１４；ＮＯ）である。したがって、蓋部２は表示部６側を上面にして、本体部３のテンキー８１０等が設けられている内面上に折り重ねられ、この状態を表示部６側から見ると、図１３に示すように、表示部６、メインスピーカ５及びサブスピーカ７が上面に位置しユーザに対向する。また、第２サイドスイッチ４は有効とされている（ステップＳ１３参照）。
【００７６】
そこで、ステップＳ２１の判断がＹＥＳであって、第１角度検出部２８にて所定の角度以下が検出された場合には、レンズバリア検出部３０によりレンズバリア１５の開放が検出されたか否かを判断する（ステップＳ２２）。レンズバリア１５の開放が検出されない場合には、ユーザにおいて撮影の意思はないものと見なして、表示ドライバ６１にワイドスクリーン表示を設定し（ステップＳ２３）、ムービー再生モード処理に移行する（ステップＳ２６）。したがって、ユーザは、図１４（ａ）に示すように、表示部６を横長方向にして、両手ＬＨ、ＲＨで前記折り重ねられた状態における携帯電話１の両端部に摘持しつつ再生ムービーを観賞することができる。
【００７７】
また、ステップＳ２２での判断の結果、レンズバリア検出部３０によりレンズバリア１５の開放が検出された場合には、ステップＳ１４に戻り、前述したステップＳ１５、Ｓ１６、Ｓ７の処理でカメラモード処理に移行する。よって、この場合には、図１４（ｂ）に例示するように、表示部６には４：３のアスペクト比で被写体像が表示され、ユーザは右手ＲＨで携帯電話１を持ち、右手人差し指Ｒ１でシャッター操作（第１サイドスイッチ９）を行うことにより撮影を行うことができる。
【００７８】
また、前記ステップＳ１８の判断がＮＯであって、レンズバリア１５の開放が検出されなかった場合には、図８のステップＳ２４に進み、ムービー再生モードが選択されたか否かを判断し（ステップＳ２４）、ムービー再生モードが選択されなかった場合には、他のモード処理に移行する。ムービー再生モードが選択された場合には、表示ドライバ６１に対し、縦長方向に合わせたワイドスクリーン表示を設定し（ステップＳ２５）、前述と同様にムービー再生モード処理に移行する（ステップＳ２６）。つまり、前記ステップＳ１８の判断がＮＯである場合は、図２（ａ）の状態において、蓋部２を開いて第１ヒンジ部１００を軸にして１２０°以上回動させたのみ（ステップＳ９；ＹＥＳ）であり、携帯電話１は図１の状態となっている。したがって、この場合には、縦長方向に合わせたワイドスクリーン表示でムービー再生を行う。
【００７９】
図９は、前記カメラモード処理（ステップＳ７）の詳細を示すフローチャートである。このフローチャートにおいて、Ｓ３１〜Ｓ４２は静止画撮影処理手順を示し、Ｓ４３〜Ｓ５２はムービー撮影の処理手順を示す。すなわち、先ずキー入力部８もしくは第２サイドスイッチ４によるムービーモード選択が検出されたか否かを判断する（ステップＳ３１）。ムービーモード選択が検出されなかった場合には、キー入力部８もしくは第２サイドスイッチ４による設定変更処理が検出された否かを判断する（ステップＳ３２）。設定変更処理が検出されなかった場合には、ステップＳ３４に進み、設定変更処理が検出された場合には、操作に合わせて設定変更を行うとともに、表示部６に表示されているアイコンを変更する等により、設定変更をモニターに反映させる（ステップＳ１３）。さらに、前述のように４：３のアスペクト比で、被写体像をモニター表示させる（ステップＳ３４）。
【００８０】
すなわち、カメラモード処理の状態においては、図１５に示すように、１６：９のアスペクト比の映像表示が可能な２．７ｉｎｃｈ（２４０×４２８ドット）表示部６において、４：３のアスペクト比の領域（２４０×３２０ドット）が、被写体像を表示させるモニター表示エリア６０１となる。したがって、モニター表示エリア６０１の両側に残余した表示領域を有効利用して、セルフタイマーアイコン６０２、撮影モードアイコン６０３、ホワイトバランスアイコン（表示例では屋外光）６０４、Ｅｖ（露出）ゲージ６０５、撮影モード表示（表示例ではＵＸＧＡ相当の解像度、１６００×１２００（ドット））６０６、ズーム（光学ズーム３倍、デジタルズーム１６倍で３×１６、４８倍まで拡大できる）６０７、受信状態アイコン６０８、電池残量アイコン６０９、ムービー撮影モード切替アイコン６１０等を表示することができる。よって、ステップＳ３３では、これらアイコン等６０１〜６１０を操作に合わせて表示変更し、また、ステップＳ３４ではモニター表示エリア６０１に被写体像を表示させる。
【００８１】
したがって、１６：９のアスペクト比の映像表示が可能な表示部６を採用したことにより、撮影時において、各アイコン等６０１〜６１０がモニター表示エリア６０１の被写体像と重なることがない。よって、撮影すべき画角を障害なく液晶表示させることができ、且つ、撮影設定内容や、当該携帯電話の各状態を見やすく表示させることができる。
【００８２】
そして、ステップＳ３４に続くステップＳ３５においては、カメラモードではシャッターキーとして機能する第１サイドスイッチ９の操作が検出されたか否かを判断し（テップＳ３５）、検出されたならば、表示バッファ６２のイメージデータを操作された時点のイメージデータに固定する（ステップＳ３６）。引き続き、第１サイドスイッチ９の操作が再度検出されたか否かを判断し（ステップＳ３７）、検出されない場合には、キャンセル操作が検出されたか否かを判断して、ステップＳ３６→Ｓ３７→Ｓ４１→Ｓ３６のループを繰り返しつつ待機する。
【００８３】
この間に、キャンセル操作が検出された場合には（ステップＳ４１；ＹＥＳ）、表示バッファ６２をクリアして（ステップＳ４２）、ステップＳ３４からの処理を再度実行する。また、再度第１サイドスイッチ９の操作が検出された場合には（ステップＳ４１；ＹＥＳ）、表示バッファ６２内に固定されたイメージデータを圧縮処理し（ステップＳ３８）、この圧縮処理したイメージデータをＲＡＭ２４の画像記憶領域２４３に日付をファイル名にして格納する（ステップＳ３９）。更に、レンズバリア１５が閉じられたことをレンズバリア検出部３０が検出したか否かに基づき、カメラモード抜けが検出されたか否かを判断し（ステップＳ４０）、検出されるまでステップＳ３４からの処理を繰り返し、検出された時点で図７のフローチャートにおけるスタートへ戻る。
【００８４】
他方、ステップＳ３１での判断の結果、ムービーモード選択が検出された場合には、キー入力部８もしくは第２サイドスイッチ４による設定変更処理が検出された否かを判断する（ステップＳ４３）。設定変更処理が検出されなかった場合には、ステップＳ４６に進み、設定変更処理が検出された場合には、それがシネマサイズ撮影の選択であるか否かを判断する（ステップＳ４４）。シネマサイズ撮影の選択でなかった場合には（通常サイズの撮影選択のまま）、表示部６に表示されているアイコンを変更する等により、設定変更をモニターに反映させ（ステップＳ５３）、通常サイズである４：３のアスペクト比で、被写体像をモニター表示させる（ステップＳ４６）。
【００８５】
すなわち、ムービーモードであって通常サイズでの撮影状態においては、図１６に示すようにカメラモードの場合と同様に、１６：９のアスペクト比の映像表示が可能な２．７ｉｎｃｈ（２４０×４２８ドット）表示部６において、４：３のアスペクト比の領域（２４０×３２０ドット）が、被写体像を表示させるモニター表示エリア６０１となる。そこで、モニター表示エリア６０１の両側に残余した表示領域を有効利用して、記録経過時間６１１、Ｅｖ（露出）ゲージ６０５、動画撮影サイズアイコン（Ｓ、Ｍ、Ｌ、ＣＩＮＥＭＡの４パターン）６１２、ズーム６０７、受信状態アイコン６０８、電池残量アイコン６０９、カメラ撮影モード切替アイコン６１３等を表示する。よって、ステップＳ５３では、前記アイコン等を操作に合わせて表示変更する。
【００８６】
よって、１６：９のアスペクト比の映像表示が可能な表示部６を採用したことにより、ムービーモードの通常サイズ撮影時においても、前述と同様に各アイコン等がモニター表示エリア６０１の被写体像と重なることがない。その結果、撮影すべき画角を障害なく液晶表示させることができ、且つ、撮影設定内容や、当該携帯電話の各状態を見やすく表示させることができる。
【００８７】
また、ステップＳ４４での判断の結果、シネマサイズ撮影が選択された場合には、モニターサイズをシネマサイズに変更して（ステップＳ４５）、シネマサイズのアスペクト比で、被写体像をモニター表示させる（ステップＳ４６）。
【００８８】
このとき、表示部６は、１６：９のアスペクト比の映像表示が可能であるが、本実施の形態におけるイメージセンサーの有効画素領域は前述のように４：３のアスペクト比に固定されており、イメージセンサーで捕らえることができる画素領域は１６：９に対応していない。このため、ムービーモードであってシネマサイズ撮影の状態においては、図１７に示すように、４：３の有効画素領域から、１６：９に相当する領域を被写体像を表示させる動画表示エリア６１５（１８０×３２０ドット）とし、それ以外の上下領域は各々黒画像６１４（（３０×３２０ドット）×２）として取り込む。したがって、前述と同様に、モニター表示エリア６０１の両側に残余した表示領域を有効利用して、記録経過時間６１１、Ｅｖ（露出）ゲージ６０５、動画撮影サイズアイコン６１２、ズーム６０７、受信状態アイコン６０８、電池残量アイコン６０９、カメラ撮影モード切替アイコン６１３等を表示することができのみならず、黒画像６１４部分を有効利用して現在日時６１６を表示させることができる。
【００８９】
次に、第１サイドスイッチ９の操作が検出されたか否かを判断する（ステップＳ４７）。検出されたならば、表示バッファ６２に順次映像を取り込んで（ステップＳ４８）、圧縮処理し（ステップＳ４９）、第１サイドスイッチ９の操作が再度検出されるまで（ステップＳ５０）、ステップＳ４８及びＳ４９の処理を繰り返す。そして、第１サイドスイッチ９の操作が再度検出されたならば（ステップＳ５０；ＹＥＳ）、表示バッファ６２に生成されている動画データをＲＡＭ２４の画像記憶領域２４３に日付をファイル名にして格納する（ステップＳ５１）。更に、レンズバリア１５を閉めたことをレンズバリア検出部３０が検出したか否かに基づき、カメラモード抜けが検出されたか否かを判断し（ステップＳ５１）、検出されるまでステップＳ４６からの処理を繰り返し、検出された時点で図７のフローチャートにおけるスタートへ戻る。
【００９０】
図１０は、前記ムービー再生モード処理（ステップＳ２６）の詳細を示すフローチャートである。このフローチャートにおいて、Ｓ６１〜Ｓ６３はダウンロードしたムービーファイルの再生処理手順を示し、Ｓ６４（ＹＥＳ判定）〜Ｓ７３は自機でムービー撮影されたファイルを再生する処理手順を示す。
【００９１】
先ず、このムービー再生モード処理が実行されるに際して、第２角度検出部２９にての所定角度以上の検出が有った否かを判断する（ステップＳ６１）。ここで、このステップＳ６１の判断がＹＥＳの場合とは、前述のように、蓋部２は表示部６側を上面にして、本体部３のテンキー８１０等が設けられている内面上に折り重ねられ、レンズバリア１５は閉じている。そして、ムービー再生モードにおけるこの状態は、図１４（ａ）に示したように、表示部６を横長方向にして、両手ＬＨ、ＲＨで前記折り重ねられた状態における携帯電話１の両端部に摘持しつつムービーを観賞する場合である。そして、この図１４（ａ）の状態となっている場合のムービー再生時には、メインスピーカ５、７からの放音による適正なステレオ効果が生じることから、スイッチ２１を閉じてメインスピーカ５とサブスピーカ７をオンにするステレオスピーカ設定を行う（ステップＳ６２）。
【００９２】
また、ステップＳ６１の判断がＮＯの場合とは、図２（ａ）の状態から蓋部２を開いて第１ヒンジ部１００を軸にして１２０°以上回動させたのみ（ステップＳ９；ＹＥＳ）であって、携帯電話１は図１の状態となっており、表示部６を縦長方向にして、本体部３を握持してムービーを観賞する場合である。しかし、この図１の状態となっている場合のムービー再生時に、メインスピーカ５とサブスピーカ７とをオンにすると、上下から放音し違和感が生ずることから、スイッチ２１を開いてメインスピーカ５のみをオンにするモノラルスピーカ設定を行う（ステップＳ６３）。
【００９３】
次に、ユーザにより自端末（当該携帯電話１）で撮影したムービーが選択されたか否かを判断する（ステップＳ６４）。自端末で撮影したムービーが選択された場合には、画像記憶領域２４３を検索し（ステップＳ６５）、画像記憶領域２４３に格納されているムービーファイルの先頭フレームを表示部６にサムネイル一覧表示させる（ステップＳ６６）。このとき、画像記憶領域２４３には、４：３サイズで撮影されたムービーファイルと、１６：９で撮影（シネマサイズ撮影）されたムービーファイルとが混在して格納されていることから、図１８に示すように、各サイズに応じた、異なる大きさでサムネイル６２０を表示する。このとき、シネマサイズで撮影されたムービーファイルの先頭フレームに関しては、前記黒画像６１４を削除した形でサムネイル化し、図示のように、表示される各サムネイル６２０の高さ方向を統一してメニュー表示する。
【００９４】
また、図１８に示したメニュー表示の状態を維持して、いずれかのムービーが選択されるまで待機する（ステップＳ６７）。この再生すべきムービーファイルの選択は、第２サイドスイッチ４の上下方向のロートクリック（回転）で行い、いずれかのムービーが選択されたならば、それがシネマサイズで撮影されたファイルであるか否かを判断する（ステップＳ６８）。シネマサイズで撮影されたファイルである場合には、ムービーファイルの上下領域の各黒画像６１４を除いた画像を表示部６に全画面表示する（ステップＳ６９）。したがって、シネマサイズで撮影されたムービーファイルが選択された場合には、図１９に示すように、表示部６にはムービーファイルの先頭フレームが全画面（２４０×４２８ドット）表示される。
【００９５】
次に、再生指示が検出されたか否かを判断し（ステップＳ７０）、第２サイドスイッチ４の中央が押圧されることにより再生指示が発生し、これが検出されたならば、当該ムービーファイルを伸長処理し、再生する（ステップＳ７１）。このとき、前述したステップＳ６１での判断結果に基づき、このステップＳ６１の判断がＮＯであって、図１４（ａ）に示したように、表示部６を横長方向にして、ムービーを観賞する状態にある場合には、図１９に示したように、通常サイズで撮影されたムービーを表示部６に全画面表示する。また、前記ステップＳ６１の判断がＹＥＳであって、図１に示したように、表示部６を縦長方向にして、ムービーを観賞する状態にある場合には、図２０に示すように、シネマサイズで撮影されたムービーを上下の黒画像６１４とともに、表示部６の中央部に表示する。従って、この図２０に示したシネマサイズムービーの再生表示状態においては、図示のように、表示部６の上下空白部分おける上部に、受信状態アイコン６０８、電池残量アイコン６０９、現在日時６１６を表示させ、下部にキー入力部８のムービー再生キー８５、決定キー８２、アドレス帳キー８３に各々対する操作アイコン６１７、６１８、６１９を表示させる。
【００９６】
他方、ステップＳ６８での判断の結果、選択されたムービーがシネマサイズではなく通常サイズで撮影されたファイルである場合には、先頭フレームを全画面表示する（ステップＳ７５）。これにより、図１９に示したように、表示部６には通常サイズのムービーファイルの先頭フレームが全画面表示される。
【００９７】
次に、再生指示が検出されたか否かを判断し（ステップＳ７５）、第２サイドスイッチ４の中央が押圧されることにより再生指示が発生し、これが検出されたならば、当該ムービーファイルを伸長処理し、再生する（ステップＳ７１）。このとき、前述したステップＳ６１での判断結果に基づき、このステップＳ６１の判断がＮＯであって、図１４（ａ）に示したように、表示部６を横長方向にして、ムービーを観賞する状態にある場合には、図１９に示したように、シネマサイズで撮影されたムービーを表示部６に全画面表示する。また、ステップＳ６１の判断がＹＥＳであって、図１に示したように、表示部６を縦長方向にして、ムービーを観賞する状態にある場合には、図２１に示すように、通常サイズで撮影されたムービーを表示部６の中央部に表示する。従って、この図２１に示した通常サイズムービーの再生表示状態においても、図示のように、表示部６の表示エリア６０１の上下空白部分おける上部に、受信状態アイコン６０８、電池残量アイコン６０９、現在日時６１６を表示させ、下部にキー入力部８のムービー再生キー８５、決定キー８２、アドレス帳キー８３に各々対する操作アイコン６１７、６１８、６１９を表示させる。
【００９８】
以上の処理によりシネマサイズ又は通常サイズのムービーを再生させたならば、当該ムービーの再生が終了したか否かを判断し（ステップＳ７２）、再生が終了したならば当該ムービー再生モードのモード抜けが検出されたか否かを判断する。そして、モード抜けが検出されるまで、ステップＳ６６からの処理を繰り返し、モード抜けが検出された時点で、図７に示したフローチャートのスタートに戻り、受信待受け状態に移行する。
【００９９】
この受信待受け状態において、図２２に示すように、自機で撮影した画像を壁紙６２２として設定した場合、ワイドサイズであって縦方向の表示部６において、通常サイズの壁紙６２２を上下方向に表示させる。したがって、表示部６の上下に空白部分が残余することから、図示のように、この空白部分の上部に、受信状態アイコン６０８、電池残量アイコン６０９、現在時刻６１６を表示させ、下部に、壁紙６２２として使用した画像ファイルのＥｘｉｆデータを表示するエリア６２１を設けることも可能となる。
【０１００】
なお本実施の形態においては、ＣＤＭＡ  ２００００  １ｘＥＶ−ＤＯにおけるＨＤＲ（Ｈｉｇｈ  Ｄａｔａ  Ｒａｔｅ）をベースにした無線高速データ通信について詳述したが、所謂３．５世代携帯電話サービスにおけるＨＳＤＰＡ（Ｈｉｇｈ  Ｓｐｅｅｄ  Ｄｏｗｎｌｉｎｋ  Ｐａｃｋｅｔ  Ａｃｃｅｓｓ）技術による高速データ通信であっても良い。
【図面の簡単な説明】
【０１０１】
【図１】本発明の一実施の形態に係る携帯電話の蓋を開いた状態の正面図である。
【図２】（ａ）は蓋部を表示部とキー入力部と対面させる形で畳んだ状態の正面図、（ｂ）は同背面図である。
【図３】レンズバリアを開いた状態の背面図である。
【図４】蓋部を単に平板状対の側面図である。
【図５】携帯電話の回路構成を示すブロック図である。
【図６】ＲＡＭのメモリ構成図である。
【図７】全体的な処理手順を示すフローチャートである。
【図８】図７のフローチャートに続くフローチャートである。
【図９】カメラモード処理の詳細を示すフローチャートである。
【図１０】ムービー再生モード処理の詳細を示すフローチャートである。
【図１１】フローチャートのステップＳ１２がＹＥＳと判断される場合における携帯電話の状態を示す図である。
【図１２】図１１の状態の携帯電話をユーザが両手で保持した場合を示す図である。
【図１３】フローチャートのステップＳ３２における外観図である。
【図１４】（ａ）は携帯電話が図１３の状態にある場合において、ムービー再生モードでユーザが保持している場合、（ｂ）はカメラモードでユーザが保持している場合を示す図である。
【図１５】カメラモードの表示領域を示す図である。
【図１６】ムービーモード（通常サイズ）の表示領域を示す図である。
【図１７】ムービーモード（シネマサイズ）の表示領域を示す図である。
【図１８】ムービー再生モード（サムネイル表示）を示す図である。
【図１９】ムービー再生モード（全画面表示）を示す図である。
【図２０】縦表示のムービーモード（シネマサイズ）の表示形態を示す図である。
【図２１】縦表示のカメラモード、ムービー（通常サイズ）の表示形態を示す図である。
【図２２】通常待受けサイズの表示状態を示す図である。
【符号の説明】
【０１０２】
１  携帯電話
２  蓋部
３  本体部
４  第２サイドスイッチ
５  メインスピーカ
６  表示部
７  サブスピーカ
８  キー入力部
９  第１サイドスイッチ
９  表示部
１１  アンテナ
１２  第２ヒンジ部
１３  報知用ＬＥＤ
１４  報知用スピーカ
１５  レンズバリア
１６  内蔵アンテナ
１７  撮像レンズ
１８  受信信号処理部
１９  通信信号処理部
２０  第１制御部
２１  スイッチ
２２  第２制御部
２３  プログラムＲＯＭ
２４  ＲＡＭ
２５  圧縮伸張処理部
２７  スイッチ処理部
２８  第１角度検出部
２９  第２角度検出部
３０  レンズバリア検出部
６１  表示ドライバ
６２  表示バッファ
８５  ムービー再生キー
１００  第１ヒンジ部
１７１  撮像デバイス
１７２  ＤＳＰ
２４３  画像記憶領域
２４４  ダウンロードデータ記憶領域
６１４  黒画像
６１５  動画表示エリア
６１７  操作アイコン
６２０  サムネイル
６２１  エリア
６２２  壁紙
【図１】
0004453692.tif 000002
【図２】
0004453692.tif 000003
【図３】
0004453692.tif 000004
【図４】
0004453692.tif 000005
【図５】
0004453692.tif 000006
【図６】
0004453692.tif 000007
【図７】
0004453692.tif 000008
【図８】
0004453692.tif 000009
【図９】
0004453692.tif 000010
【図１０】
0004453692.tif 000011
【図１１】
0004453692.tif 000012
【図１２】
0004453692.tif 000013
【図１３】
0004453692.tif 000014
【図１４】
0004453692.tif 000015
【図１５】
0004453692.tif 000016
【図１６】
0004453692.tif 000017
【図１７】
0004453692.tif 000018
【図１８】
0004453692.tif 000019
【図１９】
0004453692.tif 000020
【図２０】
0004453692.tif 000021
【図２１】
0004453692.tif 000022
【図２２】
0004453692.tif 000023